(57)【要約】【課題】投影型の表示装置において、視野角による画像の歪みを生じることなく立体感のある表示が可能な表示装置を提供する。【解決手段】表示画像を示す表示光Ｌを出射する投射型表示器１１０と、表示光Ｌが投影され前記表示画像を表示する被投影部材と、を備えてなる表示装置であって、前記被投影部材として、第１の被投影部材１３０とこの第１の被投影部材１３０よりも空間を隔てて前方側に配置された第２の被投影部材１４０とを有し、第１、第２の被投影部材１３０、１４０は、互いの一部が重なり合うように配置されてなることを特徴とする。【選択図】  図１
2013061387.tif 000002
【特許請求の範囲】
【請求項１】
表示画像を示す表示光を出射する投射型表示器と、前記表示光が投影され前記表示画像を表示する被投影部材と、を備えてなる表示装置であって、
前記被投影部材として、第１の被投影部材とこの第１の被投影部材よりも空間を隔てて前方側に配置された第２の被投影部材とを有し、
前記第１、第２の被投影部材は、互いの一部が重なり合うように配置されてなることを特徴とする表示装置。
【請求項２】
前記第１の被投影部材を保持する第１の保持部材と、
前記第２の被投影部材を保持する保持部とこの保持部を支持する支持部とを有する第２の保持部材と、を備え、
前記第２の保持部材は、前記支持部が前記第１の保持部材の前記第１の被投影部材よりも外周領域と当接するように形成されてなることを特徴とする請求項１に記載の表示装置。
【請求項３】
前記第２の保持部材は、前記支持部の前記第１の被投影部材側の面が後方向きに傾斜してなることを特徴とする請求項２に記載の表示装置。
【請求項４】
前記第２の被投影部材の端部に装飾部材を配設してなることを特徴とする請求項１に記載の表示装置。
【発明の詳細な説明】
【技術分野】
【０００１】
本発明は、投射型表示器から出射される表示光を被投影部材に投影して表示画像を表示する表示装置に関するものである。
【背景技術】
【０００２】
従来、スクリーン（被投影部材）にプロジェクタ（投射型表示器）から出射される表示光を投影させ、画像を表示する投影型の表示装置が知られている。
【０００３】
かかる表示装置としては、複数のスクリーンを並置してこれに画像を表示するものが知られている（例えば特許文献１参照）。しかし、特許文献１記載の表示装置においては、複数のスクリーンで１つの平面を成すものであり、表示される画像に立体感がなく、面白味に欠ける問題点がある。
【先行技術文献】
【特許文献】
【０００４】
【特許文献１】特開２０１０−１７５９４９号公報
【発明の開示】
【発明が解決しようとする課題】
【０００５】
これに対して、複数のスクリーンに段差を持たせて配置する、すなわち複数のスクリーンを立体的に配置することで、各スクリーンに表示される画像に奥行きの差が生じて立体感のある表現が可能となる。しかしながら、かかる方法は、複数のスクリーン間に段差が生じることから、視野角によってはこの段差から露出するスクリーンを保持するホルダなどに表示画像が投射されて歪んだ画像が視認されてしまうという問題点があった。
【０００６】
そこで、本発明は、上述した課題に着目してなされたものであり、投影型の表示装置において、視野角による画像の歪みを生じることなく立体感のある表示が可能な表示装置を提供することを目的とするものである。
【課題を解決するための手段】
【０００７】
本発明は、前記課題を解決するため、表示画像を示す表示光を出射する投射型表示器と、前記表示光が投影され前記表示画像を表示する被投影部材と、を備えてなる表示装置であって、
前記被投影部材として、第１の被投影部材とこの第１の被投影部材よりも空間を隔てて前方側に配置された第２の被投影部材とを有し、
前記第１、第２の被投影部材は、互いの一部が重なり合うように配置されてなることを特徴とする。
【０００８】
前記第１の被投影部材を保持する第１の保持部材と、
前記第２の被投影部材を保持する保持部とこの保持部を支持する支持部とを有する第２の保持部材と、を備え、
前記第２の保持部材は、前記支持部が前記第１の保持部材の前記第１の被投影部材よりも外周領域と当接するように形成されてなることを特徴とする。
【０００９】
前記第２の保持部材は、前記支持部の前記第１の被投影部材側の面が後方向きに傾斜してなることを特徴とする。
【００１０】
前記第２の被投影部材の端部に装飾部材を配設してなることを特徴とする。
【発明の効果】
【００１１】
本発明は、視野角による画像の歪みを生じることなく立体感のある表示が可能となる。
【図面の簡単な説明】
【００１２】
【図１】本発明の実施形態である表示装置の概観を示す図。
【図２】同上の表示装置の電気的構成を示す図。
【図３】同上の表示装置を示す正面図及び断面図。
【図４】同上の表示装置の別例を示す断面図。
【図５】同上の表示装置の別例を示す断面図。
【発明を実施するための形態】
【００１３】
以下、本発明を適用した実施形態を添付図面に基づいて説明する。
【００１４】
まず、図１及び図２を用いて表示装置１００の基本的な構成を説明する。表示装置１００は、プロジェクタ（投射型表示器）１１０と、ミラー１２０と、第１のスクリーン（第１の被投影部材）１３０と、第２のスクリーン（第２の被投影部材）１４０と、第３のスクリーン（第３の被投影部材）１５０と、制御手段１６０と、記憶手段１７０と、から主に構成されている。なお、図１では後述する第１のスクリーンホルダ及び第２のスクリーンホルダを省略して図示している。
【００１５】
プロジェクタ１１０は、表示画像を示す表示光Ｌを第１〜第３のスクリーン１３０〜１５０に向けて出射するものであり、例えば光源からの光を液晶パネルを透過させて表示光を形成する液晶プロジェクタからなる。なお、プロジェクタ１１０は複数であってよい。
【００１６】
ミラー１２０は、例えばポリカーボネートなどの樹脂材料に例えばアルミニウムなどの金属を蒸着させて反射面を形成してなる反射部材である。プロジェクタ１１０から出射された表示光Ｌは、ミラー１２０を反射し、第１〜第３のスクリーン１３０〜１５０に投影される。
【００１７】
第１〜第３のスクリーン１３０〜１５０は、プロジェクタ１１０から出射された表示光Ｌが投影されてそれぞれ表示画像を映し出す（表示する）ものである。本実施形態において、第１〜第３のスクリーン１３０〜１５０は、表示光Ｌを反射して表示画像を表示する反射スクリーンである。中央に位置する第１のスクリーン１３０と、側方に位置する第２、第３のスクリーン１４０、１５０とは、後述する第１、第２のスクリーンホルダによってそれぞれ保持されることで空間を隔てて奥行き方向の位置が異なるように配置され、第１のスクリーン１３０に対して第２、第３のスクリーン１４０、１５０が空間を隔てて前方側（観察者側）に位置するように配置される。これにより、第１のスクリーン１３０に表示される表示画像と第２、第３のスクリーン１４０、１５０に表示される表示画像とは奥行きが異なり、立体感のある表示が可能となる。
【００１８】
制御手段１６０は、ＣＰＵ，ＲＯＭ，ＲＡＭ及び入出力インターフェイス等を備えたマイクロコンピュータから構成される。制御手段１６０は、外部信号の入力や操作手段（図示しない）からの操作信号の入力などに応じて記憶手段１７０から画像データを取得し、前記画像データに応じた駆動信号を所定周期でプロジェクタ１１０へ出力して第１〜第３のスクリーン１３０〜１５０に表示画像を示す表示光Ｌを出射させるべく発光表示駆動制御をするものである。
【００１９】
記憶手段１７０は、Ｅ２ＰＲＯＭなどの不揮発性メモリからなり、表示装置１００にて表示する表示画像を示す画像データを記憶する。
【００２０】
次に、図３を用いて表示装置１００における第１〜第３のスクリーン１３０〜１５０の配置構成について説明する。
【００２１】
表示装置１００は、第１のスクリーン１３０を保持する第１のスクリーンホルダ（第１の保持部材）１８０と、第２、第３のスクリーン１４０、１５０を保持する第２のスクリーンホルダ（第２の保持部材）１９０と、を備える。
【００２２】
第１のスクリーンホルダ１８０は、例えばＡＢＳライク樹脂からなり、熱収縮が起こらない粘着材（図示しない）を介して第１のスクリーン１３０を所定位置に保持する板状部材である。なお、第１のスクリーン１３０はベゼルなどの枠状部材によって固定してもよい。
【００２３】
第２のスクリーンホルダ１９０は、例えばＡＢＳライク樹脂からなり、熱収縮が起こらない粘着材（図示しない）を介して第２、第３のスクリーン１４０、１５０を保持する平板状の保持部１９１と、保持部１９１の中央領域に形成され観察者側に第１のスクリーン１３０の一部を露出させる開口部１９２と、保持部１９１の背面から突出し第１のスクリーンホルダ１８０と当接する支持部１９３と、を備える。また、第２のスクリーンホルダ１９０は、例えば第１のスクリーンホルダ１８０の背面側から支持部１９３をネジ止めすることで第１のスクリーンホルダ１８０に固定される。
【００２４】
ここで、第２のスクリーンホルダ１９０の開口部１９２が第１のスクリーン１３０よりも小さく形成されることで、空間を隔てて立体的に配置される第１のスクリーン１３０と第２、第３のスクリーン１４０、１５０とは、互いの一部が重なり合うように配置される。すなわち、中央に位置する第１のスクリーン１３０の左右両端が側方に位置する第２、第３のスクリーン１４０、１５０の一端と重なり合うように配置される。また、第２のスクリーンホルダ１９０の支持部１９３は、第１のスクリーン１３０側の面が後方向きになるように傾斜して形成され、第１のスクリーンホルダ１８０の第１のスクリーン１３０よりも外周領域と当接するように形成される。これにより、観察者のアイポイントＥからの視線には第１のスクリーン１３０と第２、第３のスクリーン１４０、１５０との段差が入るものの、第１のスクリーン１３０の第２、第３のスクリーン１４０、１５０と重なり合った部分に投射された表示画像を視認することとなるため、第２のスクリーンホルダ１９０の支持部１９３や第１のスクリーンホルダ１８０が視認される場合のようにスクリーンでない部材に表示画像が投射されて歪んだ画像が視認されることを抑制することができる。なお、支持部１９３の傾斜角度は支持部１９３が観察者の視線上に位置しないように適宜定められる。さらに、第１のスクリーン１３０に表示された表示画像の反射光が支持部１９３に再反射して第１のスクリーン１３０に映り込むことを防ぐため、第２のスクリーンホルダ１９０は黒色等の反射性の低い色とし、支持部１９３にシボ形状を形成することが望ましい。
【００２５】
以上のように、本実施形態によれば、視野角による表示画像の歪みを生じることなく立体感のある表示が可能となる。
【００２６】
なお、第２のスクリーンホルダ１９０の支持部１９３は、観察者のアイポイントＥからの視線に入らないように、第１のスクリーンホルダ１８０の第１のスクリーン１３０よりも外周領域と当接するように形成されればよく、図４のように開口部１９２よりも外周側に形成して第１のスクリーンホルダ１８０に対して垂直に突出させてもよい。
【００２７】
また、第１〜第３のスクリーンの形状は平面、矩形状に限定されるものではなく、図５に示すように第２のスクリーンホルダ１９０の保持部１９１を曲面状として、第２、第３のスクリーン１４０、１５０を曲面状としてもよい。スクリーンを曲面状とすることで平面スクリーンでは表現できないより立体感のある新規な表現が可能となる。また、第１〜第３のスクリーン１３０〜１５０を円状などの矩形以外の形状としてもよい。また、図５に示すように、前方側に配置される第２、第３のスクリーン１４０、１５０の端面が表示光Ｌを反射して視認性が損なわれないように、第２、第３のスクリーン１４０、１５０の中央側の端面に低反射性の装飾部材１９４を配設してもよく、表示品位を高めることができる。また、デザイン性向上を目的として装飾部材１９４に表示光Ｌを照射して淡く光らせてもよい。装飾部材１９４は第２、第３のスクリーン１４０、１５０を第２のスクリーンホルダ１９０の保持部１９１に固定する部材を兼用してもよい。
【００２８】
なお、本実施形態においては、第１〜第３のスクリーン１３０〜１５０を配置する構成であったが、本発明の表示装置は、空間を隔てて立体的に配置される２以上のスクリーンが配置されるものであればよい。
【産業上の利用可能性】
【００２９】
本発明は、投射型表示器から出射される表示光を被投影部材に投影して表示画像を表示する表示装置に適用可能である。
【符号の説明】
【００３０】
１００  表示装置
１１０  プロジェクタ（投射型表示器）
１２０  ミラー
１３０  第１のスクリーン（第１の被投影部材）
１４０  第２のスクリーン（第２の被投影部材）
１５０  第３のスクリーン（第３の被投影部材）
１６０  制御手段
１７０  記憶手段
１８０  第１のスクリーンホルダ（第１の保持部材）
１９０  第２のスクリーンホルダ（第２の保持部材）
１９１  保持部
１９２  開口部
１９３  支持部
１９４  装飾部材
【図１】
2013061387.tif 000003
【図２】
2013061387.tif 000004
【図３】
2013061387.tif 000005
【図４】
2013061387.tif 000006
【図５】
2013061387.tif 000007